(57)【特許請求の範囲】
【請求項１】
壁パネル間や天井パネル間の目地に配置されて、長手方向に連続した略Ｈ型の合成樹脂からなる目地材であって、該目地材は左右の縦壁と、該左右の縦壁を連結する連結板部とを備え、前記左右の縦壁の上部にはそれぞれ外方に向って鍔部が長手方向に沿って突設されるとともに、左右の縦壁の下方において、内方に突出された第１の接地部と、該第１の接地部と連結板部との間に内方に突出された第２の接地部とが形成され、第２の接地部の下面位置に対応する左右の縦壁の外側面に切欠溝が長手方向に形成されていることを特徴とする目地材。
【発明の詳細な説明】
【技術分野】
【０００１】
本発明は、壁パネル間や天井パネル間の目地に設置される目地材に関するものである。
【背景技術】
【０００２】
従来、パネル間の目地に設置される目地材については、例えば、シーリング目地を有する被塗面に対し、下塗材を塗付して下塗層を形成した後、その表面に目地材を貼着し、次いで装飾塗材を塗付して、目地材を脱着する目地形成方法において、目地材をシーリング目地と重なるように貼着する目地形成方法に記載されているシーリング目地材が一般的に用いられている（例えば特許文献１）。
【０００３】
このシーリング目地材は、シーリング材等を用いて温度や湿度等の変化に耐え得るよう、変位しやすい設計がなされている。
【先行技術文献】
【特許文献】
【０００４】
【特許文献１】特開２００７−９２４５３号公報
【発明の概要】
【発明が解決しようとする課題】
【０００５】
しかしながら、かかる従来の目地材においては、シーリング材を目地に塗布した後、経年変化（劣化）によってシーリング材とパネル端面との間に隙間ができることがあり、美観上好ましいと言えず、また露出したパネル端面が痛んでしまうと言う問題があった。
【０００６】
本発明は、上記の如き課題に鑑みてなされたものであり、経年変化によって目地材とパネル端面との間に隙間が生じることがない目地材を提供せんとするものである。
【課題を解決するための手段】
【０００７】
上記目的を達成するために、本発明は次のような構成としている。
すなわち本発明に係る目地材は、壁パネル間や天井パネル間の目地に配置されて、長手方向に連続した略Ｈ型の合成樹脂からなる目地材であって、該目地材は左右の縦壁と、該左右の縦壁を連結する連結板部とを備え、前記左右の縦壁の上部にはそれぞれ外方に向って鍔部が長手方向に沿って突設されるとともに、左右の縦壁の下方において、内方に突出された第１の接地部と、該第１の接地部と連結板部との間に内方に突出された第２の接地部とが形成され、第２の接地部の下面位置に対応する左右の縦壁の外側面に切欠溝が長手方向に形成されていることを特徴とするものである。
【発明の効果】
【０００９】
本発明によれば、目地材を、左右の縦壁と、該左右の縦壁を連結する連結板部とを備え、前記左右の縦壁の上部にはそれぞれ外方に向って鍔部が長手方向に沿って突設するようにしているため、パネル端面と目地材との間に隙間が生じたとしても鍔部により隠蔽できるので美観上好ましく、またパネル端部が鍔部で覆われるので、パネル端部が痛むこともない。
【００１０】
また本発明によれば、左右の縦壁の下方において、内方に突出された第１の接地部と、該第１の接地部と連結板部との間に内方に突出された第２の接地部とを形成し、第２の接地部の下面位置に対応する左右の縦壁の外側面に切欠溝を長手方向に形成しているため、厚みの異なるパネルに対して、切欠溝に沿って切断することで、１つの目地材をもって対応することができ、目地材の品種を増やす必要がない。
【図面の簡単な説明】
【００１１】
【図１】本発明に係る目地材の実施の一形態を示す斜視図である。
【図２】本発明に係る目地材の別の実施形態を示す正面図である。
【図３】本発明に係る目地材を切欠溝に沿って切断した後の形態を示す正面図である。
【発明を実施するための形態】
【００１２】
次に、本発明を実施するための最良の形態について図面を参照し、具体的に説明する。
Ｐは本発明に係る目地材であって、下地材Ｕ上に設置された壁パネルや天井パネル等のパネルＫ間に目地に配置されて、長手方向に連続した略Ｈ型の合成樹脂からなり、該目地材Ｐは左右の縦壁１，１と、該左右の縦壁１，１を連結する連結板部２とを備え、前記左右の縦壁１，１の上部にはそれぞれ外方に向って鍔部３，３が長手方向に沿って突設されている。
【００１３】
そして、左右の縦壁１，１の下方において、内方に突出された底部を形成する第１の接地部４，４と、該第１の接地部４と連結板部２との間に内方に突出された第２の接地部５，５とが形成され、第２の接地部５の下面位置５１に対応する左右の縦壁１，１の外側面１１に切欠溝６，６が長手方向に形成されている。
【００１４】
前記縦壁１、連結板部２、第１の接地部４、第２の接地部５を形成する合成樹脂の種類は、特に限定されるものではないが、硬質の合成樹脂、例えば硬質塩化ビニルやＡＢＳ樹脂等が一般的に用いられる。これは、壁パネルや天井パネル等のパネルＫ間に目地材Ｐを配置する際、目地の幅と目地材Ｐの幅との関係によっては、多少の摩擦抵抗を受ける場合も想定されるため、ある程度の強度が必要となるからである。
【００１５】
また、前記鍔部３は縦壁１、連結板部２、第１の接地部４、第２の接地部５より硬度の低い合成樹脂、例えば軟質塩化ビニルやウレタン樹脂等により形成されている。これは、壁パネルや天井パネルの間の目地に目地材Ｐを配置して、パネルＫ端部の角を覆い保護すると共に、パネルＫ端部を隠蔽し美観向上を図る際に、鍔部３を硬度の低い合成樹脂で形成することによって、柔軟に対応することができ好ましい。
【００１６】
目地材Ｐの連結板部２の上面に、アルミニウム合金箔やステンレス箔と言った金属箔７を貼着し、意匠性を向上させてもよい。
【００１７】
目地材Ｐの製造方法は、一般的に行われている押出成形により、硬質の合成樹脂からなる縦壁１、連結板部２、第１の接地部４、第２の接地部５と、軟質の合成樹脂からなる鍔部３とを同時に押出成形して製造されるものである。また、目地材Ｐの断面コ字状の底部７に金属箔を貼着する場合にも、一般に行われている同時押出成形により製造される。
【００１８】
壁パネルや天井パネルに不燃ボード（石膏ボード）が用いられる場合、そのパネルＫ厚みは１２．５ｍｍと９．５ｍｍの規格があり、目地材Ｐの鍔部３の下面位置３１から第１の接地部４の下面位置４１までの高さを１２．５ｍｍとし、鍔部３の下面位置３１から第２の接地部５の下面位置５１までの高さを９．５ｍｍとし、第２の接地部５の下面位置５１に対応する左右の縦壁１，１の外側面１１に切欠溝６，６を長手方向に形成しておけば、厚みの薄いパネルに対応する場合には、切欠溝６に沿って縦壁１を切断するだけよく、厚みの異なるパネルＫの目地であっても、１種類の目地材Ｐで対応することができ効率的である。
【産業上の利用可能性】
【００１９】
本発明によれば、目地材を、左右の縦壁と、該左右の縦壁を連結する連結板部とを備え、前記左右の縦壁の上部にはそれぞれ外方に向って鍔部が長手方向に沿って突設するようにしているため、パネル端面と目地材との間に隙間が生じたとしても鍔部により隠蔽できるので美観上好ましく、またパネル端部が鍔部で覆われるので、パネル端部が痛むこともない目地材として好適に利用できる。
【符号の説明】
【００２０】
１    縦壁
１１  外側面
２    連結板部
３    鍔部
３１  下面位置
４    第１の接地部
４１  下面位置
５    第２の接地部
５１  下面位置
６    切欠溝
７    金属箔
Ｐ    目地材
Ｕ    下地材
Ｋ    パネル
【図１】
0005554979.tif 000002
【図２】
0005554979.tif 000003
【図３】
0005554979.tif 000004